(57)【要約】【課題】筐体の背面側に設置される熱交換器を機械室の後側まで延ばし、熱交換器の面積を増大させて空調性能を高めながら、簡素且つ安価な構成によりファン騒音を低減する。【解決手段】室外機１Ａは、箱型の筐体２と、筐体２の内部の幅方向一側に設けられた機械室６と、筐体２の内部の幅方向他側に設けられ、筐体２の背面側から正面側に向かって外気を送風するファン７と、筐体２の背面に沿い、且つファン７の背面側から機械室６の背面側にかけて延在するように設置された熱交換器１０と、ファン７の上流側において、平面視で機械室６の周壁面６ａからファン７の中心部までの範囲に設けられ、機械室６の背面側からファン７側に流れる空気流の流速を制限する流速制限板１５Ａとを具備してなる。流速制限板１５Ａは、ファン７の軸方向に直交する面方向を持つ平板状であり、その一端が機械室６に固定され、他端がファン７のモータデッキ７ｄに固定されている。【選択図】図２
2016164468.tif 000002
【特許請求の範囲】
【請求項１】
箱型の筐体と、
前記筐体の内部の幅方向一側に設けられた機械室と、
前記筐体の内部の幅方向他側に設けられ、前記筐体の背面側から正面側に向かって外気を送風するファンと、
前記筐体の背面に沿い、且つ前記ファンの背面側から前記機械室の背面側にかけて延在するように設置された熱交換器と、
前記ファンの上流側において、平面視で前記機械室の周壁面から前記ファンの中心部までの範囲に設けられ、前記機械室の背面側から前記ファン側に流れる空気流の流速を制限する流速制限板と、
を具備してなることを特徴とする空気調和機用室外機。
【請求項２】
前記流速制限板は、前記ファンの軸方向に直交する面方向を持つ平板状である請求項１に記載の空気調和機用室外機。
【請求項３】
前記流速制限板は、平面視で、その一端が前記機械室に固定され、他端が前記ファンのモータを支持するモータデッキに固定されている請求項２に記載の空気調和機用室外機。
【請求項４】
前記ファンの直径をＤとした場合、前記流速制限板は前記ファンの上流側端部から０．１Ｄ以上上流側に設置されている請求項２または３に記載の空気調和機用室外機。
【請求項５】
前記機械室の幅をＬとした場合、前記流速制限板は前記機械室の前記ファン側の端面から前記ファン側に０．２Ｌ以上突出している請求項２から４のいずれかに記載の空気調和機用室外機。
【請求項６】
前記流速制限板は、平面視で、その一端が前記機械室の周壁面に対して隙間を有して近接し、他端が前記ファンのブレード側を向き、且つ、前記隙間の幅が前記機械室側から前記ブレード側に向かって大きくなるように延びている請求項１に記載の空気調和機用室外機。
【請求項７】
前記流速制限板は、前記機械室の周壁面から接線方向に延びている請求項６に記載の空気調和機用室外機。
【請求項８】
前記流速制限板は多孔板である請求項１から７に記載の空気調和機用室外機。
【請求項９】
箱型の筐体と、
前記筐体の内部の幅方向一側に設けられた機械室と、
前記筐体の内部の幅方向他側に設けられ、前記筐体の背面側から正面側に向かって外気を送風するファンと、
前記筐体の背面に沿い、且つ前記ファンの背面側から前記機械室の背面側にかけて延在するように設置された熱交換器と、
前記ファンの各ブレードの圧力面側に設けられた弾力を有する緩衝膜と、
を具備してなることを特徴とする空気調和機用室外機。
【請求項１０】
前記緩衝膜が設けられる範囲は、前記ブレードの先端から半分程度までの範囲である請求項９に記載の空気調和機用室外機。
【発明の詳細な説明】
【技術分野】
【０００１】
本発明は、熱交換器にファンの風を当てて冷媒との熱交換を行う空気調和機用室外機に関するものである。
【背景技術】
【０００２】
特許文献１の図３に記載されているように、箱型の筐体の一側面から背面にかけて熱交換器がＬ字状に設置され、筐体の内部にファンが設置された空気調和機用室外機がある。ファンにより筐体の背面および側面から外気が吸気され、この外気は熱交換器を通過することによって熱交換器の内部を流れる冷媒との熱交換を行った後、筐体の正面に開設された空気吹出口から排出される。
【０００３】
筐体の内部は、仕切壁によって熱交換室と機械室とに区画されており、熱交換室に熱交換器とファンとが設置され、機械室にコンプレッサ等の機器類が設置されている。熱交換器の筐体背面側の部分は、ファンの後側の領域から機械室の後側の領域にかかる程度まで延びている。
【先行技術文献】
【特許文献】
【０００４】
【特許文献１】特開２００４−２１１９３１号公報
【発明の概要】
【発明が解決しようとする課題】
【０００５】
熱交換器の面積を増大させて空調性能を高めるには、熱交換器を機械室の後側（背面側）まで完全に延ばすのが望ましい。
ところが、こうすると、機械室の周壁がファン側にせり出すように湾曲しているために、熱交換器を通過してファンに流入する気流のうち、機械室の周壁を回り込んでくる流れが周壁に絞られてその流速を速められ、この高速流とファンのブレードとが衝突してファンの騒音（送風音）が大きくなるという問題が発生する。
室外機からの騒音は、コンプレッサの作動音と、ファンの騒音とがほぼ同じ位の割合を占めており、さらなる騒音低減のためにはファン騒音の静音化が有効である。
【０００６】
本発明は、このような事情に鑑みてなされたものであり、筐体の背面側に設置される熱交換器を機械室の後側まで延ばし、熱交換器の面積を増大させて空調性能を高めながら、簡素且つ安価な構成によりファン騒音を低減することができる空気調和機用室外機を提供することを目的とする。
【課題を解決するための手段】
【０００７】
上記課題を解決するために、本発明は、以下の手段を採用する。
【０００８】
即ち、本発明の第１態様に係る空気調和機用室外機は、箱型の筐体と、前記筐体の内部の幅方向一側に設けられた機械室と、前記筐体の内部の幅方向他側に設けられ、前記筐体の背面側から正面側に向かって外気を送風するファンと、前記筐体の背面に沿い、且つ前記ファンの背面側から前記機械室の背面側にかけて延在するように設置された熱交換器と、前記ファンの上流側において、平面視で前記機械室の周壁面から前記ファンの中心部までの範囲に設けられ、前記機械室の背面側から前記ファン側に流れる空気流の流速を制限する流速制限板と、を具備してなることを特徴とする。
【０００９】
上記構成の空気調和機用室外機によれば、ファンの回転に伴い、筐体の背面および側面の空気が吸引されて熱交換器を通過することにより熱交換器の内部を流れる冷媒との熱交換を行った後、ファンの回転により筐体の正面に開設された空気吹出口から排出される。
【００１０】
このうち、機械室の背面側で熱交換器を通過した空気は、機械室の周壁面により縮流されるため、高速流となってファン側に流れ込もうとするが、ファンに到達する前に、ファンの上流側に設けられた流速制限板によって減速される。このため、従来のように機械室の周壁面を回り込んで来る高速流がそのまま高速でファンのブレードに衝突して騒音を発することが抑制される。
【００１１】
したがって、熱交換器を機械室の後側の領域まで延ばし、熱交換器の面積を増大させて空調性能を高めつつ、流速制限板を設けるという簡素且つ安価な構成によってファン騒音を低減することができる。
【００１２】
上記構成において、前記流速制限板は、前記ファンの軸方向に直交する面方向を持つ平板状とすることが考えられる。これにより、流速制限板を簡素で安価に構成することができる。
【００１３】
上記構成において、前記流速制限板は、平面視で、その一端を前記機械室に固定し、他端を前記ファンのモータを支持するモータデッキに固定することが考えられる。これにより、流速制限板を確実に固定し、流速制限板が気流によって振動することを抑制できる。
【００１４】
上記構成において、前記ファンの直径をＤとした場合、前記流速制限板は前記ファンの上流側端部から０．１Ｄ以上上流側に設置する。
【００１５】
これにより、機械室の背面側にある空気がファン側に流れる際には、機械室の周壁面によって縮流されて高速流となる前に流速制限板によって減速できる。このため、高速流の発生を阻止し、ファン騒音を低減することができる。
【００１６】
上記構成において、前記機械室の幅をＬとした場合、前記流速制限板は前記機械室の前記ファン側の端面から前記ファン側に０．２Ｌ以上突出しているのが好ましい。
【００１７】
こうすれば、流速制限板が設置される範囲を、機械室の周壁面を回り込む高速流が発生し得る範囲のみに限定し、高速流が発生しない領域の流れが流速制限板によって妨げられることを防止して、熱交換器の性能低下を回避することができる。
【００１８】
上記構成において、前記流速制限板は、平面視で、その一端が前記機械室の周壁面に対して隙間を有して近接し、他端が前記ファンのブレード側を向き、且つ、前記隙間の幅が前記機械室側から前記ブレード側に向かって大きくなるように延ばしてもよい。
【００１９】
上記構成によれば、機械室の周壁面を回り込む高速流が、機械室の周壁面と流速制限板との間の隙間に流入する。隙間は、機械室側からファンのブレード側に向かって大きくなるため、ディフューザ効果によって隙間を通過する高速流が減速される。したがって、簡素且つ安価な構成によってファン騒音を低減することができる。
【００２０】
この流速制限板は、平面視で、機械室の周壁面からファンのブレード側に向かって斜めに延びるため、全体の気流を乱すことがない。このため、高速流が発生しない他の領域における空気の流れが妨げられたり乱されたりすることを防止し、熱交換器の性能低下を回避することができる。
【００２１】
上記のように、平面視で前記機械室の周壁面からファンのブレード側に向かって斜めに配置した前記流速制限板は、前記機械室の周壁面から接線方向に延ばすのが好ましい。
【００２２】
これにより、機械室の周壁面を回り込む高速流をスムーズに周壁面と流速制限板との間の隙間に導くことができ、気流の流れを良くして熱交換器の性能を高めることができる。
【００２３】
上記構成において、前記流速制限板を多孔板としてもよい。これにより、ファンに流入する気流の一部が流速制限板を通過可能になるため、流速制限板を設けたことによって空気の流れが阻害されることを効果的に防止し、熱交換器の性能低下を回避することができる。
【００２４】
本発明の第２態様に係る空気調和機用室外機は、箱型の筐体と、前記筐体の内部の幅方向一側に設けられた機械室と、前記筐体の内部の幅方向他側に設けられ、前記筐体の背面側から正面側に向かって外気を送風するファンと、前記筐体の背面に沿い、且つ前記ファンの背面側から前記機械室の背面側にかけて延在するように設置された熱交換器と、前記ファンの各ブレードの圧力面側に設けられた弾力を有する緩衝膜と、を具備してなることを特徴とする。
【００２５】
上記構成の空気調和機用室外機によれば、機械室の背面側に位置する熱交換器を通過した空気が、機械室の周壁面により流れを絞られ、高速流となってファンのブレードに衝突しても、この高速流の勢いは、ブレードの圧力面に設けられた弾力を有する緩衝膜によって減衰される。したがって、高速流がブレードに衝突することによる衝突音の発生が抑制され、ブレードに緩衝膜を設けるという簡素且つ安価な構成によってファン騒音を低減することができる。
【００２６】
上記構成において、前記緩衝膜が設けられる範囲は、前記ブレードの先端から半分程度までの範囲とするのが好ましい。これにより、緩衝膜を設ける範囲を必要最小限とし、ファンブレードの重量増加や空気流への影響を最小限に抑えることができる。
【発明の効果】
【００２７】
以上のように、本発明に係る空気調和機用室外機によれば、筐体の背面側に設置される熱交換器を機械室の後側まで延ばし、熱交換器の面積を増大させて空調性能を高めながら、簡素且つ安価な構成によってファン騒音を低減することができる。
【図面の簡単な説明】
【００２８】
【図１】本発明の実施形態に係る空気調和機用室外機の正面図である。
【図２】図１のＩＩ−ＩＩ線に沿い、本発明の第１実施形態を示す空気調和機用室外機の横断面図である。
【図３】本発明の第２実施形態を示す空気調和機用室外機の横断面図である。
【図４】本発明の第３実施形態を示す空気調和機用室外機の横断面図である。
【図５】図４のＶ部拡大図である。
【図６】本発明の第４実施形態を示す空気調和機用室外機の正面図である。
【図７】図６のＶＩＩ−ＶＩＩ線に沿う空気調和機用室外機の横断面図である。
【発明を実施するための形態】
【００２９】
以下に、本発明の複数の実施形態について図面を参照しながら説明する。
【００３０】
［第１実施形態］
図１は、本発明の実施形態に係る空気調和機用室外機（以下、室外機と呼ぶ）の正面図であり、図２は図１のＩＩ−ＩＩ線に沿う横断面図である。この室外機１Ａは、店舗や事務所、住居等の室内に設置されている室内機に連結されて外部に設置されるものである。以下の説明では、図１に見えている側を室外機１Ａの「正面」、その反対側を室外機１Ａの「背面」と呼ぶ。
【００３１】
室外機１Ａは、箱型の筐体２を備えている。筐体２の正面には空気吹出口３が開設されており、筐体２の背面と一側面は空気吸込口４ａ，４ｂとして開放されている。筐体２の内部には、幅方向一側に機械室６、他側にファン７が設置されている。機械室６には、冷媒を圧縮するコンプレッサ８を始めとする数々の機器類が内蔵されている。なお、機械室６を除く筐体２の内部空間は熱交換室９となっている。
【００３２】
ファン７は、ブレード７ａと、これを回転駆動するファンモータ７ｂと、ブレード７ａの周囲を囲むとともに空気吹出口３の形状を滑らかにするベルマウス７ｃと、モータデッキ７ｄとを備えた軸流ファンであり、ファンモータ７ｂはモータデッキ７ｄに支持されて筐体２内に設置されている。なお、機械室６の周壁面６ａはベルマウス７ｃに隣接しており、周壁面６ａの背面はファン７に向かって湾曲している。
【００３３】
また、筐体２内部の熱交換室９には、空気吸込口４ａ，４ｂに沿うように熱交換器１０が設置されている。この熱交換器１０は、空気吸込口４ａに対面する長辺部１０ａと、空気吸込口４ｂに対面する短辺部１０ｂとを備えており、平面視で略Ｌ字形に形成されている。長辺部１０ａは、筐体２の背面に沿い、且つファン７の背面側から機械室６の背面側まで延在している。
【００３４】
ファン７のファンモータ７ｂが作動すると、ブレード７ａが回転し、筐体２の背面および側面の空気吸込口４ａ，４ｂから外気が吸気され、この外気は熱交換器１０（１０ａ，１０ｂ）を通過することによって熱交換器１０の内部を流れる冷媒との熱交換を行った後、筐体２正面の空気吹出口３から排出される。熱交換器１０の長辺部１０ａは機械室６の背面側まで延びているため、熱交換器１０の面積を増大させて空調性能を高めることができる。
【００３５】
ファン７の上流側（吸い込み側）には、機械室６の背面側からファン７側へ流れる空気流の流速を制限する流速制限板１５Ａが設置されている。この流速制限板１５Ａは、例えばファン７の軸方向に直交する面方向（熱交換器１０の長辺部１０ａに沿う方向）を持つ平板状であり、図１、図２に示すように、正面視および平面視で、機械室６の周壁面６ａからファン７の中心部付近に掛かる範囲に設けられている。
【００３６】
流速制限板１５Ａは、金網やパンチングプレート、あるいはスリットが多数形成された板等の多孔板であり、平面視で、その一端が機械室６の周壁面６ａに固定され、他端がファンモータ７ｂを支持するモータデッキ７ｄに固定されている。ここで、ファン７の直径をＤとした場合、流速制限板１５Ａはファン７の上流側端部から０．１Ｄ以上上流側に設置されていることが好ましい。
【００３７】
上記のように構成された室外機１Ａにおいて、ファン７の回転に伴い、筐体２の背面（空気吸込口４ａ）および側面（空気吸込口４ｂ）から空気が吸引され、この空気は熱交換器１０（長辺部１０ａ、短辺部１０ｂ）を通過することによって熱交換器１０の内部を流れる冷媒との熱交換を行った後、ファン７を介して筐体２の正面に開設された空気吹出口３から排出される。
【００３８】
このうち、機械室６の背面側で熱交換器１０（長辺部１０ａ）を通過した空気は、機械室６の周壁面６ａにより縮流されるため、高速流Ｆとなってファン７側に流れようとする。しかし、ファン７に到達する前に、ファン７の上流側に設けられた流速制限板１５Ａによって減速される。したがって、従来のように機械室６の周壁面６ａによって縮流されることによる高速流Ｆが発生せず、このような高速流Ｆがそのまま高速でファン７のブレード７ａに衝突して騒音を発することが抑制される。
【００３９】
このため、熱交換器１０の長辺部１０ａを機械室６の後側の領域まで延ばし、熱交換器１０の面積を増大させて空調性能を高めつつ、流速制限板１５Ａを設けるという簡素且つ安価な構成によってファン７の騒音を低減することができる。
【００４０】
流速制限板１５Ａは、ファン７の軸方向に直交する面方向を持つ平板状であるため、流速制限板１５Ａを簡素で安価に構成することができる。また、この平板状の流速制限板１５Ａの一端を機械室６の周壁面６ａに固定し、他端をモータデッキ７ｄに固定した簡素な構造であるため、流速制限板１５Ａを確実に固定し、流速制限板１５Ａが気流によって振動することを抑制できる。
【００４１】
流速制限板１５Ａは、ファン７の直径をＤとした場合に、ファン７の上流側端部から０．１Ｄ以上上流側に設置されている。このため、機械室６の背面側にある空気がファン７側に流れる際には、機械室６の周壁面６ａによって縮流されて高速流Ｆとなる前に流速制限板１５Ａによって流量を制限される。よって、高速流Ｆの発生を阻止し、ファン７の騒音を効果的に低減することができる。
【００４２】
流速制限板１５Ａを多孔板としたことにより、ファン７に流入する気流の一部が流速制限板１５Ａを通過可能になるため、流速制限板１５Ａを設けたことによって空気の流れが阻害されることを効果的に防止し、熱交換器１０の性能低下を回避することができる。
【００４３】
［第２実施形態］
図３は、本発明の第２実施形態を示す室外機の横断面図である。
この室外機１Ｂは、その流速制限板１５Ｂの形状と固定構造とにおいて第１実施形態の室外機１Ａと相違し、その他の部分において同一である。したがって、第１実施形態の室外機１Ａと同一の部分には同一符号を付して説明を省略する。
【００４４】
流速制限板１５Ｂは、第１実施形態における流速制限板１５Ａと同じく、ファン７の軸方向に直交する面方向を持つ平板状であるとともに、金網やパンチングプレート、あるいはスリットが多数形成された板等の多孔板であり、機械室６の周壁面６ａのみに固定された片持ち支持状となっている。
【００４５】
流速制限板１５Ｂの前後位置は、第１実施形態の流速制限板１５Ａと同様に、ファン７の直径をＤとした場合に、ファン７の上流側端部から０．１Ｄ以上上流側の位置となっている。
【００４６】
また、機械室６の幅をＬとした場合、流速制限板１５Ｂは機械室６（周壁面６ａ）のファン７側の端面からファン７側に０．２Ｌ以上突出している。
【００４７】
以上のように、この室外機１Ｂは、流速制限板１５Ｂをファン７の上流側端部から０．１Ｄ以上上流側の位置に設けるとともに、機械室６の周壁面６ａのみに固定された片持ち支持状とし、その突出量を、機械室６の幅をＬに対して０．２Ｌ以上とした。
【００４８】
これにより、流速制限板１５Ｂが設置される範囲を、機械室６の周壁面６ａを回り込む高速流Ｆが発生し得る範囲のみに限定することができる。したがって、高速流Ｆが発生しない領域の流れが流速制限板１５Ｂによって妨げられることを防止し、熱交換器１０の性能低下を回避することができる。
【００４９】
［第３実施形態］
図４は、本発明の第３実施形態を示す室外機の横断面図である。
この室外機１Ｃは、その流速制限板１５Ｃの形状と固定構造とにおいて第１実施形態の室外機１Ａと相違し、その他の部分において同一である。したがって、第１実施形態の室外機１Ａと同一の部分には同一符号を付して説明を省略する。
【００５０】
図５にも示すように、流速制限板１５Ｃは、平面視で、その一端が機械室６の周壁面６ａに対して隙間Ｓを有して近接し、他端がファンのブレード側を向き、且つ、隙間Ｓの幅が機械室６側からブレード７ａ側に向かって大きくなるように延びている。また、流速制限板１５Ｃは、平面視で機械室６の周壁面６ａから接線方向に延びている。
【００５１】
流速制限板１５Ｃのファン７側の位置は、ベルマウス７ｃの上流端に近接する程度である。なお、第１、第２実施形態の空調機１Ａ，１Ｂと同じく、流速制限板１５Ｃを多孔状板とすることが考えられる。
【００５２】
本構成によれば、ファン７の作動時において、図５に示すように機械室６の周壁面６ａを回り込む高速流Ｆは、周壁面６ａと流速制限板１５Ｃとの間の隙間Ｓに流入する。隙間Ｓは、機械室６側からファン７のブレード７ａ側に向かって大きくなるため、ディフューザ効果によって隙間Ｓを通過する高速流Ｆが減速される。したがって、高速流Ｆが減速されずにブレード７ａに衝突して騒音を発することが抑制され、簡素且つ安価な構成によってファン７の騒音を低減することができる。
【００５３】
また、平面視で機械室６の周壁面６ａから接線方向に延びる流速制限板１５Ｃは、ファン７のブレード７ａ側に向かって斜めに延びるため、全体の気流を乱すことがない。このため、高速流Ｆが発生しない他の領域における空気の流れが妨げられたり乱されたりすることを防止し、熱交換器１０の性能低下を回避することができる。なお、本実施形態において流速制限板１５Ｃは平板状であるが、最適なディフューザ角となるように、周壁面６ａの湾曲に沿わせて緩やかに湾曲させてもよい。
【００５４】
［第４実施形態］
図６は、本発明の第４実施形態を示す室外機の正面図であり、図７は図６のＶＩＩ−ＶＩＩ線に沿う室外機の横断面図である。
この空気調和機用室外機１Ｄは、流速制限板を備えていない点と、ファン７のブレード７ａに緩衝膜７ｅが設けられている点とにおいて第１〜第３実施形態の空調機１Ａ，１Ｂ，１Ｃと相違し、その他の部分において同一である。したがって、同一の部分には同一符号を付して説明を省略する。
【００５５】
緩衝膜７ｅは、弾力を有する膜であり、ブレード７ａの圧力面側（図６に見える正面側の面）に設けられている。この緩衝膜７ｅの材質として好適なのは、塗布後に硬化して固形化する液状ゴムや液状樹脂等である。あるいはゴムや軟質樹脂の膜をブレード７ａの圧力面に接着したり溶着したりしてもよい。緩衝膜７ｅの厚みは１ｍｍ〜３ｍｍ程度である。
【００５６】
緩衝膜７ｅが設けられる範囲は、ブレード７ａの先端から半分程度までの範囲とされている。本実施形態では、図７に示すように、ファン７の中心からブレード７ａの先端までの長さをＲとした場合に、ファン７の中心から凡そ０．６Ｒの位置からブレード７ａの先端までの範囲に緩衝膜７ｅが設けられている。
【００５７】
上記構成の室外機１Ｄによれば、機械室６の背面側に位置する熱交換器１０（長辺部１０ａ）を通過した空気が、機械室６の周壁面６ａにより縮流し、高速流Ｆとなってファン７のブレード７ａに衝突しても、この高速流Ｆの勢いは、ブレード７ａの圧力面に設けられた弾力を有する緩衝膜７ｅによって減衰される。したがって、高速流Ｆがブレード７ａに衝突することによる衝突音の発生が抑制され、ブレード７ａに緩衝膜７ｅを設けるという簡素且つ安価な構成によってファン７の騒音を低減することができる。
【００５８】
また、緩衝膜７ｅを、ブレード７ａの先端から半分程度までの範囲のみに設けることにより、緩衝膜７ｅを設ける範囲を必要最小限とし、ブレード７ａの重量増加や空気流への影響を最小限に抑えることができる。
【００５９】
以上説明したように、上記各実施形態に係る室外機１Ａ，１Ｂ，１Ｃ，１Ｄによれば、筐体２の背面側に設置される熱交換器１０（長辺部１０ａ）を機械室６の後側まで延ばし、熱交換器１０の面積を増大させて空調性能を高めながら、簡素且つ安価な構成によってファン７の騒音を低減することができる。
【００６０】
なお、本発明は上記第１〜第４実施形態の構成のみに限定されるものではなく、本発明の要旨を逸脱しない範囲内において適宜変更や改良を加えることができ、このように変更や改良を加えた実施形態も本発明の権利範囲に含まれるものとする。例えば、各実施形態の構成を組み合わせてもよい。
【符号の説明】
【００６１】
１Ａ，１Ｂ，１Ｃ，１Ｄ  室外機（空気調和機用室外機）
２  筐体
３  空気吹出口
４ａ，４ｂ  空気吸込口
６  機械室
６ａ  機械室の周壁面
７  ファン
７ａ  ファンのブレード
７ｂ  モータ
７ｄ  モータデッキ
７ｅ  緩衝膜
８  コンプレッサ
９  熱交換室
１０  熱交換器
１５Ａ，１５Ｂ，１５Ｃ  流速制限板
Ｄ  ファンの直径
Ｌ  機械室の幅
Ｓ  隙間
【図１】
2016164468.tif 000003
【図２】
2016164468.tif 000004
【図３】
2016164468.tif 000005
【図４】
2016164468.tif 000006
【図５】
2016164468.tif 000007
【図６】
2016164468.tif 000008
【図７】
2016164468.tif 000009